(57)【要約】【課題】リムーバブル記憶装置を早期にリムーブ可能にする。【解決手段】ファイル転送部３２は、ジョブ３０が生成されると、ポート２０ＰにＵＳＢメモリ２０が接続されていることがＵＳＢメモリ接続検出部２０Ｄにより検出されているか否かを判定し、肯定判定した場合、ファイル転送部３２は、ＵＳＢメモリ２０内のルートフォルダ内のファイルを全て読み出して、代替フォルダ３１に格納させる。この処理が終了すると、抜脱可能表示処理部３３は、ＵＳＢメモリ２０を安全に取り外し可能であることを操作パネル１７に表示させる。ジョブ３０は、ＵＳＢメモリ２０内から所定のファイルを読み出す代わりに、代替フォルダ３１内のファイルを読み出してこれをその処理に利用する。このファイル読み出しが終了すると、転送ファイル削除部３４はこれに応答して、代替フォルダ３１内のファイルを全て削除する。【選択図】図１
2007313793.tif 000002
【特許請求の範囲】
【請求項１】
プロセッサと、
該プロセッサに結合され、プログラム及びデータが格納される記憶手段と、
リムーバブル記憶装置が結合される結合手段と、
該結合手段と該プロセッサとの間に結合されたリムーバブル記憶装置用インタフェースと、
該結合手段に該リムーバブル記憶装置が結合されているか否かを検出する検出手段と、
を有する画像形成装置において、
該プログラムは該プロセッサに対し、
（ａ）該検出手段による該結合の検出に応答して、該リムーバブル記憶装置に格納されているファイルを該記憶手段内の特定のフォルダ内にコピーさせ、
（ｂ）該リムーバブル記憶装置から該ファイルを読み出させる替わりに、該フォルダ内からファイルを読み出させて、該ファイルの内容を用いた処理を行わせ、
（ｃ）該ファイルの内容を用いた処理を終了した後に、該ファイルを削除させる、
ステップを有することを特徴とする画像形成装置。
【請求項２】
該プロセッサに結合された表示手段をさらに有し、
該プログラムは該プロセッサに対し、該ステップ（ａ）と該ステップ（ｂ）との間に、
（ｄ）該コピーを行った後に、該リムーバブル記憶装置が取り外し可能であることを該表示手段に表示させる、
ステップをさらに有する、
ことを特徴とする請求項１に記載の画像形成装置。
【請求項３】
該プログラムは、
該ステップ（ａ）及び（ｄ）の処理を該プロセッサに行わせる第１ルーチンと、
該ステップ（ｂ）の処理を該プロセッサに行わせる第２ルーチンと、
を有し、該第１ルーチンは、複数種のジョブの受付処理を行い又はジョブ状態を管理する第１プログラムの一部であり、該第２ルーチンは、画像形成ジョブに対応した第２プログラムの一部であることを特徴とする請求項２に記載の画像形成装置。
【請求項４】
該プログラムは、該ステップ（ｃ）の処理を該プロセッサに行わせる第３ルーチンを有し、該第３ルーチンは、該第１プログラムの一部であることを特徴とする請求項３に記載の画像形成装置。
【請求項５】
該プログラムは、プリントアプリケーションプログラムの一部であることを特徴とする請求項１又は２に記載の画像形成装置。
【請求項６】
プロセッサと
該プロセッサに結合され、プログラム及びデータが格納される記憶手段と、
リムーバブル記憶装置が結合される結合手段と、
該結合手段と該プロセッサとの間に結合されたリムーバブル記憶装置用インタフェースと、
該結合手段に該リムーバブル記憶装置が結合されているか否かを検出する検出手段と、
を有する画像形成装置において、
該プログラムは該プロセッサに対し、
（ａ）該検出手段による該結合の検出に応答して、該記憶手段内の特定のフォルダ内のファイルを消去させ、該リムーバブル記憶装置に格納されているファイルを該フォルダ内にコピーさせ、
（ｂ）該リムーバブル記憶装置から該ファイルを読み出させる替わりに、該記憶手段からファイルを読み出させて、該ファイルの内容を用いた処理を行わせる、
ステップを有することを特徴とする画像形成装置。
【請求項７】
該プロセッサに結合された表示手段をさらに有し、
該プログラムは該プロセッサに対し、該ステップ（ａ）と該ステップ（ｂ）との間に、
（ｃ）該コピーを行った後に、該リムーバブル記憶装置が取り外し可能であることを該表示手段に表示させる、
ステップをさらに有する、
ことを特徴とする請求項６に記載の画像形成装置。
【請求項８】
該リムーバブル記憶装置から該記憶手段へのコピー対象ファイルは、該リムーバブル記憶装置内の特定のフォルダ内のファイルであることを特徴とする請求項１乃至７のいずれか１つに記載の画像形成装置。
【請求項９】
該プログラムは該プロセッサに対し、所定数のジョブで該ステップ（ｂ）の処理を行わせた後に、該ステップ（ｃ）の処理を行わせることを特徴とする請求項１乃至５のいずれか１つに記載の画像形成装置。
【請求項１０】
該リムーバブル記憶装置内の特定のフォルダを示す情報は、該リムーバブル記憶装置内のファイル又は該記憶手段内のファイル若しくは不揮発性メモリ領域に格納されていることを特徴とする請求項１乃至９のいずれか１つに記載の画像形成装置。
【発明の詳細な説明】
【技術分野】
【０００１】
本発明は、プリンタ、複写機、ファクシミリ又は複合機等の画像形成装置に係り、特に、ＵＳＢフラッシュメモリ等のリムーバブル記憶装置に格納されたファイルを利用する画像形成装置に関する。
【背景技術】
【０００２】
例えば、フォントファイルを格納したリムーバブル記憶装置を画像形成装置へ装着させ、このフォントファイルを用いてプリントを行う場合、そのジョブの全頁についてＲＩＰ処理が終了するまで、リムーバブル記憶装置を画像形成装置から抜脱させることができず、ユーザの待ち時間が長くなる。このため、無駄時間が生ずるとともに、ユーザはリムーバブル記憶装置を画像形成装置から抜脱させるのを忘れ易く、情報漏洩の虞が生ずる。
【０００３】
下記特許文献１には、メモリカードがスロットに挿着されていることを検出した場合、このメモリカードにデータ形式変換用実行ファイルが記録されていれば、このファイルを読み出してワークメモリへ格納させ、これを起動させる構成が開示されている。
【特許文献１】特開２００５−３４９６６４号公報
【発明の開示】
【発明が解決しようとする課題】
【０００４】
しかしながら、実行ファイルがリムーバブル記憶装置に格納されていなければ、次の処理へ進まずに、リムーバブル記憶装置が画像形成装置から抜脱されるのを待つように構成されている。また、リムーバブル記憶装置から実行ファイルを読み出して画像形成装置のメモリへ格納させているのは、そうしないと実行ファイルを起動させることができないからであり、印刷データへ変換可能なデータファイルは、メモリカードから直接読み出してこれを利用している。
【０００５】
このため、特許文献１では、上述の待ち時間が長くなるという問題を解決できない。
【０００６】
本発明の目的は、上記問題点に鑑み、リムーバブル記憶装置を画像形成装置に装着させた後、早期にこれを画像形成装置から抜脱させることが可能な画像形成装置を提供することにある。
【課題を解決するための手段】
【０００７】
本発明による画像形成装置の第１態様では、
プロセッサと、
該プロセッサに結合され、プログラム及びデータが格納される記憶手段と、
リムーバブル記憶装置が結合される結合手段と、
該結合手段と該プロセッサとの間に結合されたリムーバブル記憶装置用インタフェースと、
該結合手段に該リムーバブル記憶装置が結合されているか否かを検出する検出手段と、
を有する画像形成装置において、
該プログラムは該プロセッサに対し、
（ａ）該検出手段による該結合の検出に応答して、該リムーバブル記憶装置に格納されているファイルを該記憶手段内の特定のフォルダ内にコピーさせ、
（ｂ）該リムーバブル記憶装置から該ファイルを読み出させる替わりに、該フォルダ内からファイルを読み出させて、該ファイルの内容を用いた処理を行わせ、
（ｃ）該ファイルの内容を用いた処理を終了した後に、該ファイルを削除させる、
ステップを有する。
【０００８】
本発明による画像形成装置の第２態様では、第１態様において、
該プロセッサに結合された表示手段をさらに有し、
該プログラムは該プロセッサに対し、該ステップ（ａ）と該ステップ（ｂ）との間に、
（ｄ）該コピーを行った後に、該リムーバブル記憶装置が取り外し可能であることを該表示手段に表示させる、
ステップをさらに有する。
【０００９】
本発明による画像形成装置の第３態様では、第２態様において、該プログラムは、
該ステップ（ａ）及び（ｄ）の処理を該プロセッサに行わせる第１ルーチンと、
該ステップ（ｂ）の処理を該プロセッサに行わせる第２ルーチンとを有し、該第１ルーチンは、複数種のジョブの受付処理を行い又はジョブ状態を管理する第１プログラムの一部であり、該第２ルーチンは、画像形成ジョブに対応した第２プログラムの一部である。
【００１０】
本発明による画像形成装置の第４態様では、第３態様において、該プログラムは、該ステップ（ｃ）の処理を該プロセッサに行わせる第３ルーチンを有し、該第３ルーチンは、該第１プログラムの一部である。
【００１１】
本発明による画像形成装置の第５態様では、第１又は２態様において、該プログラムは、プリントアプリケーションプログラムの一部である。
【００１２】
本発明による画像形成装置の第６態様では、
プロセッサと
該プロセッサに結合され、プログラム及びデータが格納される記憶手段と、
リムーバブル記憶装置が結合される結合手段と、
該結合手段と該プロセッサとの間に結合されたリムーバブル記憶装置用インタフェースと、
該結合手段に該リムーバブル記憶装置が結合されているか否かを検出する検出手段と、
を有する画像形成装置において、
該プログラムは該プロセッサに対し、
（ａ）該検出手段による該結合の検出に応答して、該記憶手段内の特定のフォルダ内のファイルを消去させ、該リムーバブル記憶装置に格納されているファイルを該フォルダ内にコピーさせ、
（ｂ）該リムーバブル記憶装置から該ファイルを読み出させる替わりに、該記憶手段からファイルを読み出させて、該ファイルの内容を用いた処理を行わせる、
ステップを有する。
【００１３】
本発明による画像形成装置の第７態様では、第６態様において、
該プロセッサに結合された表示手段をさらに有し、
該プログラムは該プロセッサに対し、該ステップ（ａ）と該ステップ（ｂ）との間に、
（ｃ）該コピーを行った後に、該リムーバブル記憶装置が取り外し可能であることを該表示手段に表示させる、
ステップをさらに有する。
【００１４】
本発明による画像形成装置の第８態様では、第１乃至７態様のいずれか１つにおいて、該リムーバブル記憶装置から該記憶手段へのコピー対象ファイルは、該リムーバブル記憶装置内の特定のフォルダ内のファイルである。
【００１５】
本発明による画像形成装置の第９態様では、第１乃至５態様のいずれか１つにおいて、該プログラムは該プロセッサに対し、所定数のジョブで該ステップ（ｂ）の処理を行わせた後に、該ステップ（ｃ）の処理を行わせる。
【００１６】
本発明による画像形成装置の第１０態様では、第１乃至９態様のいずれか１つにおいて、該リムーバブル記憶装置内の特定のフォルダを示す情報は、該リムーバブル記憶装置内のファイル又は該記憶手段内のファイル若しくは不揮発性メモリ領域に格納されている。
【発明の効果】
【００１７】
上記第１態様の構成によれば、リムーバブル記憶装置の結合手段への結合に応答して、該リムーバブル記憶装置に格納されているファイルを記憶手段内の特定のフォルダ内にコピーさせ、該リムーバブル記憶装置から該ファイルを読み出させる替わりに、該フォルダ内からファイルを読み出させて、該ファイルの内容を用いた処理を行わせるので、ユーザは、該リムーバブル記憶装置を該結合手段へ結合後、該ファイルが該記憶手段内に格納されたことを確認すると、直ちに該リムーバブル記憶装置を該結合手段から抜脱させて、画像形成装置から離れることができるという効果を奏する。したがって、無駄な待ち時間を省くことができるとともに、該結合手段から該リムーバブル記憶装置を抜脱させるのを忘れるということが少なくなる。また、該ファイルの内容を用いた処理を終了した後に、該ファイルを削除させるので、該リムーバブル記憶装置内のファイルが秘密情報を含んでいても、これが漏洩するのを防止することができるという効果を奏する。
【００１８】
該リムーバブル記憶装置にアクセス中表示用ＬＥＤが備えられていて、該リムーバブル記憶装置がこのＬＥＤ表示を制御していれば、この表示を目視することでこの確認を行うことができる。
【００１９】
上記第２態様の構成によれば、該リムーバブル記憶装置にこのＬＥＤが備えられていなくても、上記確認を行うことができる。
【００２０】
上記第３態様の構成によれば、複数種のジョブの受付処理を行い又はジョブ状態を管理する第１プログラムの一部で該格納が行われるので、画像形成ジョブに対応した第２プログラムで該格納を行う必要が無く、任意のアプリケーションプログラムを簡単化できるという効果を奏する。
【００２１】
上記第４態様の構成によれば、複数種のジョブの受付処理を行い又はジョブ状態を管理する第１プログラムの一部で該削除も行われるので、画像形成ジョブに対応した第２プログラムで該削除を行う必要が無く、任意のアプリケーションプログラムをさらに簡単化できるという効果を奏する。
【００２２】
上記第５態様の構成によれば、該格納及び該削除がプリントアプリケーションプログラムでおこなわれるので、該格納及び該削除をプリントアプリケーションプログラムのみで行う場合には、該格納及び該削除をジョブ管理プログラムで行うよりも該画像形成装置のプログラムが全体として簡単になるという効果を奏する。
【００２３】
上記第６態様の構成によれば、該格納の直前に該消去を行うので、該消去のタイミングを考慮する必要が無く、プログラムの構成が簡単になるという効果を奏する。
【００２４】
上記第８態様の構成によれば、該リムーバブル記憶装置から該記憶手段へのコピー対象ファイルは、該リムーバブル記憶装置内の特定のフォルダ内のファイルであるので、不必要なファイルの転送を防止できるという効果を奏する。
【００２５】
上記第９態様の構成によれば、所定数のジョブで該ファイルを利用した後に、該削除の処理を行わせるので、同一ファイルを複数のジョブで用いる場合に、同一ファイルの格納及び削除を繰り返す無駄を省略できるという効果を奏する。
【００２６】
上記第１０態様の構成によれば、該リムーバブル記憶装置内の特定のフォルダを示す情報が、該リムーバブル記憶装置内のファイル又は該記憶手段内のファイル若しくは不揮発性メモリ領域に格納されているので、ユーザは使用目的に応じて該情報を書き換えることにより、該リムーバブル記憶装置内でファイル移動処理を行ったり元のフォルダへファイルを戻したりする必要がなくなるという効果を奏する。
【００２７】
本発明の他の目的、構成及び効果は以下の説明から明らかになる。
【実施例１】
【００２８】
図４は、本発明の実施例１に係る画像形成装置１０のハードウェア構成を示す概略ブロック図である。
【００２９】
この画像形成装置１０では、ＭＰＵ１１がインタフェース１２を介して、ＲＯＭ１３Ｒ、ＤＲＡＭ１３Ｄ、ＮＶＲＡＭ１３Ｎ、ハードディスク１４、スキャナ１５、プリンタ１６、操作パネル１７、モデム１８、ＮＩＣ１９及びＵＳＢポート２０Ｐに結合されている。図４では、簡単化のため、複数のインタフェースを１つのブロックで示しており、インタフェース１２にはＵＳＢインタフェースも含まれている。
【００３０】
ＲＯＭ１３Ｒには、ブートストラップ及びＢＩＯＳが格納されている。ＮＶＲＡＭ１３Ｎは、例えばフラッシュメモリであり、これには、オペレーティングシステム（ＯＳ）、ＯＳの上層で動作するアプリケーション及びＯＳの下層で動作する各種デバイスドライバ（インタフェース１２を介してＵＳＢメモリをアクセスするドライバを含む）及び各種設定値が格納されている。このアプリケーションは、画像形成装置１０を複合機として機能させるためのものであり、この機能には、コピー、スキャン、プリント及びファクシミリがある。ハードディスク１４は、データ格納用である。ＤＲＡＭ１３Ｄは、ワークエリア用である。
【００３１】
スキャナ１５は、コピー及びファックス送信での画像入力用である。プリンタ１６は、プリントエンジン、定着器並びに用紙の給紙部、搬送部及び排紙部を備えており、印刷データとして供給されるビットマップデータに基づいてプリントエンジンの感光ドラムに静電潜像を形成し、これをトナーで現像し、用紙に転写し定着させた後に排紙する。操作パネル１７は、表示部とキー入力部とを備えており、設定情報又は指示を入力し、選択画面や設定画面などを表示させるためのものである。モデム１８は、ファックス送受信用である。ＮＩＣ１９は、ネットワーク上のホストコンピュータに結合されてプリントジョブに用いられる。ポート２１Ｐに接続されるＵＳＢメモリ２０は、例えばフラッシュメモリチップを備えている。
【００３２】
図１は、画像形成装置１０のハードウェア及びソフトウェアの、本発明に関係した部分を示す概略機能ブロック図である。
【００３３】
ユーザはまず、ＵＳＢメモリ２０をホストコンピュータ２１のポート２２に挿着させて、画像形成装置１０で用いるファイルをＵＳＢメモリ２０に格納させる。このファイルは例えば、画像形成装置１０でのジョブがプリントの場合には、フォントファイルであり、ファクシミリの場合には、送信対象の画像ファイルであり、コピーの場合には、印刷濃度、集約処理の有無及びその種類並びに印刷濃度等の印刷属性データが格納されたファイルである。以下において、画像形成装置１０でのジョブは、ＵＳＢメモリ２０に格納されたファイルを利用するものとする。
【００３４】
このＵＳＢメモリ２０をポート２２から抜脱させて、画像形成装置１０のポート２０Ｐに挿着させる。この挿着は、ＵＳＢメモリ接続検出部２０Ｄにより検出される。該検出は一般に、ＯＳがポートをポーリングすることにより行われており、ＡＰＩを用いてその結果を知得することができる。
【００３５】
ここで、画像形成装置１０のハードディスク１４内には予め、代替フォルダ３１が作成されている。
【００３６】
ファイル転送部３２は、ジョブ３０が生成されると、ポート２０ＰにＵＳＢメモリ２０が接続されていることがＵＳＢメモリ接続検出部２０Ｄにより検出されているか否かを判定する。肯定判定した場合、ファイル転送部３２は、ＵＳＢメモリ２０内の予め定められた特定フォルダ内、例えばルートフォルダ内のファイルを全て読み出して、代替フォルダ３１に格納させる。この処理が終了すると、抜脱可能表示処理部３３に処理が遷移し、処理部３３は、ＵＳＢメモリ２０を安全に取り外し可能であることを操作パネル１７に表示させる。
【００３７】
ユーザはこれを目視して確認した後、ＵＳＢメモリ２０をポート２０Ｐから抜脱させる。これにより、ユーザは、ＵＳＢメモリ２０をポート２０Ｐへ接続後、当該ファイルが代替フォルダ３１に格納されたことを上記表示で確認すると、直ちにＵＳＢメモリ２０をポート２０Ｐから抜脱させて、画像形成装置１０から離れることができる。したがって、無駄な待ち時間を省くことができるとともに、ポート２０ＰからＵＳＢメモリ２０を抜脱させるのを忘れるということが少なくなる。
【００３８】
ジョブ３０は、ＵＳＢメモリ２０内から所定のファイルを読み出す代わりに、代替フォルダ３１内のファイルを読み出してこれをその処理に利用する。このファイル読み出しが終了すると、転送ファイル削除部３４はこれに応答して、代替フォルダ３１内のファイルを全て削除する。この削除のタイミングは、後述のようにジョブ終了直前又直後であってもよい。
【００３９】
この削除により、ＵＳＢメモリ２０内のファイルが秘密情報を含んでいても、これが漏洩するのを防止することができる。
【００４０】
ファイル転送部３２、抜脱可能表示処理部３３及び転送ファイル削除部３４の処理は、ジョブ３０を実行するアプリケーションの一部であっても、これと独立のプログラム、例えばジョブ管理プログラム又は操作パネル１７からの指示を受け付けるパネルアプリケーションプログラムの一部であってもよい。
【００４１】
図２は、図１のブロック３２〜３４の処理が、ジョブ３０を実行するアプリケーションの一部である場合を示す。図２の処理は、操作パネル１７上のジョブ開始釦を押下することにより開始される。以下、括弧内は図２中のステップ識別符号である。
【００４２】
（Ｓ０）ファイル転送フラグＦをリセットする。
【００４３】
（Ｓ１）ＵＳＢメモリ２０がポート２０Ｐへ接続されていることを、ＵＳＢメモリ接続検出部２０Ｄが検出している場合には、ステップＳ２へ進み、そうでなければステップＳ５へ進む。
【００４４】
（Ｓ２）図１のファイル転送部３２の処理を行う。
【００４５】
（Ｓ３）ファイル転送フラグＦをセットする。
【００４６】
（Ｓ４）図１の抜脱可能表示処理部３３の処理を行う。
【００４７】
（Ｓ５）図１のジョブ３０の処理を行う。
【００４８】
（Ｓ６）ファイル転送フラグＦがセットされていれば、処理を終了する。
【００４９】
（Ｓ７）図１の転送ファイル削除部３４の処理を行う。
【実施例２】
【００５０】
図３は、本発明の実施例２に係る画像形成装置１０Ａの機能ブロック図であり、この画像形成装置１０Ａでは、ジョブ管理プログラムにより図１のブロック３２〜３４の処理を行う。画像形成装置１０Ａのハードウェア構成は、上記実施例１と同一である。
【００５１】
状態情報４０は、ＤＲＡＭ１３Ｄ内の所定アドレスの１バイト又は１ワードである。状態情報４０の最上位ビットには、ファイル転送フラグＦが格納され、このファイル転送フラグＦを除いた下位ビットに、ジョブ識別コードＪＩＤが格納される。
【００５２】
ＵＳＢメモリ接続検出部２０Ｄは、ポート２０ＰへのＵＳＢメモリ２０の接続を検出すると、ファイル転送フラグＦをセットする。ジョブ管理部４１は、任意のジョブの開始に応答して、ファイル転送フラグＦがセットされ且つジョブ識別コードＪＩＤがゼロであれば、そのジョブの識別コードを状態情報４０のＪＩＤに格納する。ジョブ識別コードＪＩＤは例えば、上位３ビットが、プリントジョブの場合‘００１’、ＦＡＸジョブの場合‘０１０’、コピージョブの場合‘１００’であり、これを除く下位ビットがそのジョブ種のシリアル番号である。図３中のジョブ３０１〜３０３は例えば、第１のプリントジョブ、ＦＡＸジョブ及び第２のプリントジョブである。
【００５３】
ジョブ管理部４１は、ジョブ識別コードＪＩＤを状態情報４０に格納した後、図１のファイル転送部３２の処理を行い、次いで図１の抜脱可能表示処理部３３の処理を行う。
【００５４】
その後、ジョブ管理部４１は、ジョブの終了に応答して、次のような処理を行う。すなわち、状態情報４０のファイル転送フラグＦがセットされており、且つ、状態情報４０のジョブ識別コードＪＩＤがこの終了ジョブのものと一致している場合、図１の転送ファイル削除部３４の処理を行うとともに、状態情報４０の内容をゼロクリアする。
【００５５】
本実施例２によれば、ＵＳＢメモリ２０内のファイルの代替フォルダ３１内への格納及びその削除が、ジョブ管理部４１により適宜行われるので、各アプリケーションプログラム内では、ＵＳＢメモリ２０内のファイルを読み出す代わりに、代替フォルダ３１内のファイルを読み出せばよく、該格納及び削除を行う必要がない。
【００５６】
また、状態情報４０を上述のように用いて該ファイルの格納及び削除を行っているので、該ファイルの利用が終了していない時点で他の並行ジョブ終了により該削除が行われるのを防止することができる。
【００５７】
なお、本発明には外にも種々の変形例が含まれる。
【００５８】
例えば、ＵＳＢメモリ２０からの読出対象ファイルを特定の拡張子のものに限定したり、読出対象ファイルが格納されるフォルダ名を特定の名前のテキストファイル又はＮＶＲＡＭ１３Ｎの所定アドレスに格納しておき、これを読み出してフォルダを特定する構成であってもよい。
【００５９】
また、リムーバブル記憶装置にアクセス中表示ＬＥＤが備えられていれば、ユーザはこれを目視することで該装置を抜脱可能であるか否かを判断できるので、図２のステップＳ４は必須ではない。
【００６０】
さらに、ソフトウェアカウンタに初期値を設定し、複数のジョブの各々で代替フォルダ３１内のファイルを利用して該ソフトウェアカウンタを１だけデクリメント（インクリメント）し、該ソフトウェアカウンタがゼロ（設定値）になった後に転送ファイル削除部３４の処理を有効にする構成であってもよい。この構成によれば、同一ファイルを複数のジョブで用いる場合に、同一ファイルの格納及び削除を繰り返す無駄を省略できるという効果を奏する。
【００６１】
また、読み出し対象ファイルが格納されているＵＳＢメモリ２０内の特定のフォルダを示す情報を、ＵＳＢメモリ２０内の特定のファイル又はＮＶＲＡＭ１３Ｎ内の特定のアドレスに格納しておき、これに基づいて該特定のフォルダを決定する構成であってもよい。この場合、ユーザが使用目的に応じて該情報を書き換えることにより、ＵＳＢメモリ２０内でファイル移動処理を行ったり元のフォルダへファイルを戻したりする必要がなくなるという効果を奏する。
【００６２】
また、リムーバブル記憶装置からＨＤＤへの格納の直前に、同様にして前に格納されていたファイルを消去する構成であってもよい。この場合、該消去のタイミングを考慮する必要が無く、プログラムの構成が簡単になるという効果を奏する。
【００６３】
さらに、リムーバブル記憶装置は、ＵＳＢメモリ以外のリムーバブルな記憶装置、例えば、メモリカード又はリムーバブルハードディスク等であってもよいことは勿論である。
【図面の簡単な説明】
【００６４】
【図１】本発明の実施例１に係る画像形成装置のハードウェア及びソフトウェアの、本発明に関係した部分を示す概略機能ブロック図である。
【図２】図１のブロック３２〜３４の処理がジョブ３０のアプリケーションの一部である場合を示すフローチャートである。
【図３】ジョブ管理プログラムにより図１のブロック３２〜３４の処理を行う場合を本発明の実施例２として示す、ソフトウェア構成の概略機能ブロック図である。
【図４】画像形成装置のハードウェア概略ブロック図である。
【符号の説明】
【００６５】
１０、１０Ａ  画像形成装置
１１  ＭＰＵ
１２  インタフェース
１３Ｒ  ＲＯＭ
１３Ｄ  ＤＲＡＭ
１３Ｎ  ＮＶＲＡＭ
１４  ハードディスク
１５  スキャナ
１６  プリンタ
１７  操作パネル
１８  モデム
１９  ＮＩＣ
２０  ＵＳＢメモリ
２０Ｐ、２２  ポート
２０Ｄ  ＵＳＢメモリ接続検出部
２１  ホストコンピュータ
３０、３０１〜３０３  ジョブ
３１  代替フォルダ
３２  ファイル転送部
３３  抜脱可能表示処理部
３４  転送ファイル削除部
４０  状態情報
４１  ジョブ管理部
【図１】
2007313793.tif 000003
【図２】
2007313793.tif 000004
【図３】
2007313793.tif 000005
【図４】
2007313793.tif 000006